(57)【要約】【課題】機器の情報および機器の運用者等が蓄積するノウハウを容易に取得する技術を提供する。【解決手段】  保守情報提供装置であって、機器の型を少なくとも含む保守に関する第一の情報と、第一の情報の種類を特定する第二の情報と、を対応付けて記憶する記憶部と、入力を受け付けた機器の型と、キーワードと、を用いて保守に関する第一の情報を記憶部から検索する保守情報検索部と、検索の結果得られた保守に関する第一の情報を第二の情報ごとに区分して出力する検索結果提供部と、を備えることを特徴とする。【選択図】図１
2014228977.tif 000002
【特許請求の範囲】
【請求項１】
機器の型を少なくとも含む保守に関する第一の情報と、前記第一の情報の種類を特定する第二の情報と、を対応付けて記憶する記憶部と、
入力を受け付けた機器の型と、キーワードと、を用いて保守に関する前記第一の情報を前記記憶部から検索する保守情報検索部と、
前記検索の結果得られた前記保守に関する第一の情報を前記第二の情報ごとに区分して出力する検索結果提供部と、
を備えることを特徴とする保守情報提供装置。
【請求項２】
請求項１に記載の保守情報提供装置であって、
前記保守情報検索部は、前記機器の型の情報により特定される前記第一の情報のうち、前記キーワードが含まれる情報を抽出することで検索を行う、
ことを特徴とする保守情報提供装置。
【請求項３】
請求項１または２に記載の保守情報提供装置であって、
前記第一の情報は、他の装置に格納された文書情報の一部を含み、
前記保守情報検索部は、前記機器の型の情報により特定される前記第一の情報のうち、前記キーワードが前記文書情報の一部に含まれる前記第一の情報を抽出することで検索する、
ことを特徴とする保守情報提供装置。
【請求項４】
請求項１〜３のいずれか一項に記載の保守情報提供装置であって、
前記第一の情報には、前記機器の提供者が提供するマニュアル文書と、前記機器の提供者とは異なる者が提供するノウハウ文書と、の一部の情報が含まれ、
前記第二の情報には、前記マニュアル文書と、前記ノウハウ文書と、を含む一の情報の種類を特定する情報が含まれる、
ことを特徴とする保守情報提供装置。
【請求項５】
請求項４に記載の保守情報提供装置であって、
前記保守情報検索部は、前記マニュアル文書を検索する場合には、前記機器の型が一致するマニュアル文書への参照を検索結果に含める、
ことを特徴とする保守情報提供装置。
【請求項６】
請求項１〜５のいずれか一項に記載の保守情報提供装置であって、
前記第一の情報には、当該第一の情報に関するさらに詳細な情報への参照先の情報が含まれ、
前記検索結果提供部は、前記第一の情報を出力する処理において、前記さらに詳細な情報への参照先の情報を含めて出力する、
ことを特徴とする保守情報提供装置。
【請求項７】
請求項６に記載の保守情報提供装置であって、
前記さらに詳細な情報が更新されたことを示す通知を他の装置から受け付けると、当該更新の内容に応じて前記第一の情報を更新する保守情報同期部、
を備えることを特徴とする保守情報提供装置。
【請求項８】
請求項７に記載の保守情報提供装置であって、
前記保守情報同期部は、前記さらに詳細な情報の更新の内容が新規追加である場合に、追加された情報から所定の方法で抽出した単語を前記第一の情報に加える、
ことを特徴とする保守情報提供装置。
【請求項９】
コンピューターに、保守情報を提供する手順を実行させるプログラムであって、
前記コンピューターを、機器の型を少なくとも含む保守に関する第一の情報と、前記第一の情報の種類を特定する第二の情報と、を対応付けて記憶する記憶手段および制御手段として機能させ、
前記制御手段に対して、
入力を受け付けた機器の型と、キーワードと、を用いて保守に関する前記第一の情報を前記記憶部から検索する保守情報検索手順と、
前記検索の結果得られた前記保守に関する第一の情報を前記第二の情報ごとに区分して出力する検索結果提供手順と、
を実行させることを特徴とするプログラム。
【請求項１０】
コンピューターを用いた保守情報の提供方法であって、
前記コンピューターは、
機器の型を少なくとも含む保守に関する第一の情報と、前記第一の情報の種類を特定する第二の情報と、を対応付けて記憶する記憶部を備え、
入力を受け付けた機器の型と、キーワードと、を用いて保守に関する前記第一の情報を前記記憶部から検索する保守情報検索ステップと、
前記検索の結果得られた前記保守に関する第一の情報を前記第二の情報ごとに区分して出力する検索結果提供ステップと、
を実施することを特徴とする保守情報の提供方法。
【発明の詳細な説明】
【技術分野】
【０００１】
本発明は、保守情報の活用技術に関するものである。
【背景技術】
【０００２】
従来、電力系統やプラント等の各種設備の点検保守業務に関して、保守点検対象設備の保守点検箇所等の説明の音声入力と画像情報入力を受け付けるとファイル化して保存しておき、設備の点検保守時にデータベースから該当するノウハウ資料を検索・出力する点検保守業務支援の技術が存在する。特許文献１には、このような技術について記載されている。
【先行技術文献】
【特許文献】
【０００３】
【特許文献１】特開２０００−２２２０２６号公報
【発明の概要】
【発明が解決しようとする課題】
【０００４】
上記技術では、音声情報と画像情報とを登録して後に参照することが可能となるが、マニュアル等の正規の情報の補充は別途行う必要がある。
【０００５】
本発明の目的は、機器の情報および機器の運用者等が蓄積するノウハウを容易に取得する技術を提供することにある。
【課題を解決するための手段】
【０００６】
本願は、上記課題の少なくとも一部を解決する手段を複数含んでいるが、その例を挙げるならば、以下のとおりである。上記課題を解決すべく、本発明に係る保守情報提供装置は、機器の型を少なくとも含む保守に関する第一の情報と、上記第一の情報の種類を特定する第二の情報と、を対応付けて記憶する記憶部と、入力を受け付けた機器の型と、キーワードと、を用いて保守に関する上記第一の情報を上記記憶部から検索する保守情報検索部と、上記検索の結果得られた上記保守に関する第一の情報を上記第二の情報ごとに区分して出力する検索結果提供部と、を備えることを特徴とする。
【０００７】
また、上記の保守情報提供装置においては、上記保守情報検索部は、上記機器の型の情報により特定される上記第一の情報のうち、上記キーワードが含まれる情報を抽出することで検索を行う、ことを特徴とするものであってもよい。
【０００８】
また、上記の保守情報提供装置においては、上記第一の情報は、他の装置に格納された文書情報の一部を含み、上記保守情報検索部は、上記機器の型の情報により特定される上記第一の情報のうち、上記キーワードが上記文書情報の一部に含まれる上記第一の情報を抽出することで検索する、ことを特徴とする。
【０００９】
また、上記の保守情報提供装置においては、上記第一の情報には、上記機器の提供者が提供するマニュアル文書と、上記機器の提供者とは異なる者が提供するノウハウ文書と、の一部の情報が含まれ、上記第二の情報には、上記マニュアル文書と、上記ノウハウ文書と、を含む一の情報の種類を特定する情報が含まれる、ことを特徴とするものであってもよい。
【００１０】
また、上記の保守情報提供装置においては、上記保守情報検索部は、上記マニュアル文書を検索する場合には、上記機器の型が一致するマニュアル文書への参照を検索結果に含める、ことを特徴とするものであってもよい。
【００１１】
また、上記の保守情報提供装置においては、上記第一の情報には、当該第一の情報に関するさらに詳細な情報への参照先の情報が含まれ、上記検索結果提供部は、上記第一の情報を出力する処理において、上記さらに詳細な情報への参照先の情報を含めて出力する、ことを特徴とするものであってもよい。
【００１２】
また、上記の保守情報提供装置においては、上記さらに詳細な情報が更新されたことを示す通知を他の装置から受け付けると、当該更新の内容に応じて上記第一の情報を更新する保守情報同期部、を備えることを特徴とするものであってもよい。
【００１３】
また、上記の保守情報提供装置においては、上記保守情報同期部は、上記さらに詳細な情報の更新の内容が新規追加である場合に、追加された情報から所定の方法で抽出した単語を上記第一の情報に加える、ことを特徴とするものであってもよい。
【００１４】
また、本発明に係るプログラムは、コンピューターに、保守情報を提供する手順を実行させるプログラムであって、上記コンピューターを、機器の型を少なくとも含む保守に関する第一の情報と、上記第一の情報の種類を特定する第二の情報と、を対応付けて記憶する記憶手段および制御手段として機能させ、上記制御手段に対して、入力を受け付けた機器の型と、キーワードと、を用いて保守に関する上記第一の情報を上記記憶部から検索する保守情報検索手順と、上記検索の結果得られた上記保守に関する第一の情報を上記第二の情報ごとに区分して出力する検索結果提供手順と、を実行させることを特徴とする。
【００１５】
また、本発明に係る保守情報の提供方法は、コンピューターを用いた保守情報の提供方法であって、上記コンピューターは、機器の型を少なくとも含む保守に関する第一の情報と、上記第一の情報の種類を特定する第二の情報と、を対応付けて記憶する記憶部を備え、入力を受け付けた機器の型と、キーワードと、を用いて保守に関する上記第一の情報を上記記憶部から検索する保守情報検索ステップと、上記検索の結果得られた上記保守に関する第一の情報を上記第二の情報ごとに区分して出力する検索結果提供ステップと、を実施することを特徴とする。
【００１６】
上記した以外の課題、構成および効果は、以下の実施形態の説明により明らかにされる。
【発明の効果】
【００１７】
本発明によると、機器の提供者が提供する正規の情報および機器の運用者等が蓄積するノウハウを容易に取得可能とする技術を提供することができる。
【図面の簡単な説明】
【００１８】
【図１】本発明の実施形態に係る保守情報管理システムの構成例を示す図である。
【図２】保守情報概要記憶部に格納されるデータ構造を示す図である。
【図３】保守情報履歴記憶部に格納されるデータ構造を示す図である。
【図４】保守情報提供装置のハードウェア構成を示す図である。
【図５】概要検索処理フローを示す図である。
【図６】保守概要情報同期処理フローを示す図である。
【図７】概要検索処理において表示される入力時の画面例を示す図である。
【図８】概要検索処理において表示される検索結果表示時の画面例を示す図である。
【図９】概要検索処理において表示される詳細情報表示時の画面例を示す図である。
【図１０】保守概要情報同期処理にて管理者端末に表示される画面例を示す図である。
【発明を実施するための形態】
【００１９】
以下に、本発明に係る第一の実施形態を適用した保守情報管理システム１について、図面を参照して説明する。
【００２０】
図１は、本発明の第一の実施形態における保守情報管理システム１の構成例を示す図である。保守情報管理システム１には、保守情報提供装置１００と、保守情報提供装置１００とネットワーク１０を介して通信可能に接続されるサーバー等で構成される保守情報保有装置２００と、保守情報提供装置１００および保守情報保有装置２００とネットワーク１０を介して通信可能に接続されるパーソナルコンピュータ等で構成される検索端末３００と、が含まれる。
【００２１】
保守情報提供装置１００は、サーバー等の情報処理装置である。ほかにも例えば、保守情報提供装置１００は、パソコンやスマートフォン、ワークステーション等各種の情報処理装置であればよい。
【００２２】
保守情報提供装置１００には、制御部１１０と、記憶部１２０と、通信部１３０と、が含まれる。制御部１１０には、保守情報検索部１１１と、検索結果提供部１１２と、保守情報同期部１１３と、が含まれる。記憶部１２０には、保守情報概要記憶部１２１が含まれる。
【００２３】
図２は、保守情報概要記憶部１２１のデータ構造の例を示す図である。保守情報概要記憶部１２１には、機器を識別する機器型名１２１Ａごとに、保守情報の種類を特定する情報である種類１２１Ｂと、保守情報の種類ごとのバージョンを特定する番号１２１Ｃと、保守情報の題目を特定する題目１２１Ｄと、題目についての保守情報の詳細情報の格納先を参照する際に用いるリンク情報であるリンク先１２１Ｅと、保守情報に関するキーワード１２１Ｆと、保守情報の削除有無を特定する削除有無１２１Ｇと、が対応付けられて格納される。
【００２４】
種類１２１Ｂは、保守情報の種類を特定する情報であり、少なくとも「マニュアル」、「ノウハウ」あるいは「付加情報」のいずれか一の種類を特定する情報である。例えば、保守情報に係る製品のマニュアルが情報源である場合には、「マニュアル」が格納され、保守情報に係る製品の運用上の経験則による情報源である場合には「ノウハウ」が格納され、保守情報に係る製品のバージョンアップ等によるマニュアルに反映されない変更内容が情報源である場合には「付加情報」が格納される。
【００２５】
リンク先１２１Ｅは、保守情報の詳細な情報すなわち元データの格納先を特定する情報である。保守情報概要記憶部１２１は保守情報提供装置１００に格納される保守情報の概要を記憶する記憶部であるため、その詳細な情報は保守情報保有装置２００に格納される。例えば、リンク先１２１Ｅで特定されるリンク先は、保守情報保有装置２００の保守情報提供部２１１に対して参照を要求するＵＲＬ（Ｕｎｉｆｏｒｍｅｄ  Ｒｅｓｏｕｒｃｅ  Ｌｏｃａｔｏｒ）である。
【００２６】
キーワード１２１Ｆは、保守情報に含まれる一または複数の語を特定する文字列情報である。
【００２７】
削除有無１２１Ｇは、保守情報保有装置２００の保守情報が削除されたか否かを特定する情報である。情報元となる保守情報保有装置２００の保守情報が削除されると、保守情報概要記憶部１２１の１２１Ｇについても連動して削除されるべきものであるが、実際に削除するのではなく、削除有無１２１Ｇに削除の有無を示す情報が格納されることでこれに代えるものである。
【００２８】
図１の説明に戻る。保守情報検索部１１１は、検索項目を受け付けて保守概要情報を検索し、検索項目を含む保守情報を抽出する。
【００２９】
検索結果提供部１１２は、保守情報検索部１１１が検索した結果を編集して所定の出力画面を生成し、検索端末３００に画面を出力させる。また、検索結果提供部１１２は、出力画面上で保守文書の詳細の参照要求を受け付けると、保守情報保有装置２００の保守文書記憶部２２２に格納された該当する文書を保守情報保有装置２００に対して要求し、得た文書を出力画面の所定の領域に表示するよう出力画面を再構成して検索端末３００に画面を出力させる。
【００３０】
保守情報同期部１１３は、保守情報保有装置２００の保守文書記憶部２２２に格納された保守文書に更新がある旨の通知を受けると、当該通知から更新内容を特定し、保守情報概要記憶部１２１に反映させる。
【００３１】
通信部１３０は、ネットワーク１０を介して他の装置、例えば保守情報保有装置２００あるいは検索端末３００との通信を行う。
【００３２】
保守情報保有装置２００は、サーバー等の情報処理装置である。ほかにも例えば、保守情報保有装置２００は、パソコンやスマートフォン、ワークステーション等各種の情報処理装置であればよい。
【００３３】
保守情報保有装置２００には、制御部２１０と、記憶部２２０と、通信部（図示せず）と、が含まれる。制御部２１０には、保守情報提供部２１１と、保守情報更新通知部２１２と、が含まれる。記憶部２２０には、保守情報履歴記憶部２２１と、保守文書記憶部２２２と、が含まれる。
【００３４】
図３は、保守情報保有装置２００の記憶部２２０に格納される保守情報履歴記憶部２２１のデータ構造の例を示す図である。保守情報履歴記憶部２２１には、処理された保守情報を特定する番号２２１Ａと、処理の内容を示す処理内容２２１Ｂと、処理の日時を特定する更新日時２２１Ｃと、が対応付けられて格納される。
【００３５】
番号２２１Ａは、処理された保守情報を特定する情報である。すなわち、番号２２１Ａにより、処理された保守情報の章立て、項番や記事番号が特定される。なお、同じ保守情報が複数回更新された場合においても、原則は番号２２１Ａは維持される。例外的には、一つの保守情報を複数の保守情報に分割した場合、あるいは複数の保守情報を併合した場合等には、新たな番号が付番され、あるいは併合された一方の番号は不使用となることがある。
【００３６】
処理内容２２１Ｂは、保守情報の処理の種類を特定する情報である。例えば、処理内容２２１Ｂは、「新規登録」、「更新」、「削除」等の内容に応じた処理の種類を特定する情報である。
【００３７】
更新日時２２１Ｃは、保守情報の処理が実施された日時を特定する情報である。例えば、更新日時２２１Ｃは、年、月、日、時、分、秒のいずれかまたはその組み合わせを特定する情報である。
【００３８】
図１の説明に戻る。保守文書記憶部２２２には、図示しない保守情報が格納される。保守情報には、マニュアル等のように比較的長文の文書を章立てて細分化可能に管理されるものと、障害対応ノウハウ等のように１インシデント単位あるいは類似インシデント単位で管理されるものと、のいずれも含みうる。また、保守情報には、文章のみではなく、図や表、静止画や動画、音声情報等の各種の視聴覚情報も含みうる。また、保守情報には所定の番号が付番され、番号により特定の保守情報が特定される。なお、保守文書記憶部２２２に格納される保守情報に変更等の処理が行われると、保守情報履歴記憶部２２１に処理対象の保守情報の番号と、処理内容と、更新日時と、を含む処理履歴が格納される。
【００３９】
保守情報提供部２１１は、参照する保守情報の番号を含む参照要求を受け付けると、参照要求に含まれる保守情報の番号に該当する保守情報を保守文書記憶部２２２から検索し、検索した結果の保守情報を要求元へ応答出力する。
【００４０】
保守情報更新通知部２１２は、保守情報履歴記憶部２２１に処理履歴が格納されると、保守情報提供装置１００に対して保守情報更新通知を行う。保守情報更新通知には、処理対象の保守情報の番号と、処理内容と、更新日時と、を含む処理履歴が含まれる。
【００４１】
検索端末３００は、パーソナルコンピュータ等の情報処理装置である。ほかにも例えば、検索端末３００は、サーバーやスマートフォン、ワークステーション等各種の情報処理装置であればよい。
【００４２】
検索端末３００には、制御部３１０と、通信部（図示せず）と、が含まれる。制御部３１０には、検索条件受付部３１１と、検索依頼部３１２と、検索結果出力部３１３と、が含まれる。検索端末３００は、保守情報提供装置１００にＨＴＴＰ（Ｈｙｐｅｒｔｅｘｔ  Ｔｒａｎｓｆｅｒ  Ｐｒｏｔｏｃｏｌ）、ＴＥＬＮＥＴ、ＦＴＰ、エックスウィンドウ等各種プロトコルを用いてアクセスを行う。
【００４３】
検索条件受付部３１１は、検索端末３００の利用者からの検索条件の入力を受け付けて、検索依頼部３１２へ受け渡す。例えば、検索条件受付部３１１は、検索条件として機器型名とキーワードとを受け付ける。
【００４４】
検索依頼部３１２は、検索条件に応じた検索項目を含めて保守情報提供装置１００へ検索要求を送信する。また、検索依頼部３１２は、検索の結果得られた保守文書の詳細を参照する依頼を受け付けると、保守文書の詳細の参照要求を保守情報提供装置１００へ送信する。
【００４５】
検索結果出力部３１３は、保守情報提供装置１００から送信された保守情報の検索結果の出力画面を受け付けると、表示する。また、検索結果出力部３１３は、詳細の参照要求に関する保守文書の情報を受け付けると、表示する。
【００４６】
ネットワーク１０は、例えばＬＡＮ（Ｌｏｃａｌ  Ａｒｅａ  Ｎｅｔｗｏｒｋ）等の通信網である。
【００４７】
図４は、保守情報提供装置１００のハードウェア構成例を示す図である。保守情報提供装置１００は、演算装置１０２と、外部記憶装置１０３と、主記憶装置１０４と、出力装置１０５と、通信装置１０６と、各装置をつなぐバス１０７と、を少なくとも備える。また、他に、保守情報提供装置１００は、キーボード、マウスといった入力装置１０１を備えるものであってもよい。
【００４８】
演算装置１０２は、例えばＣＰＵ（Ｃｅｎｔｒａｌ  Ｐｒｏｃｅｓｓｉｎｇ  Ｕｎｉｔ）などの演算装置である。
【００４９】
外部記憶装置１０３は、デジタル情報を記憶可能な、いわゆるハードディスク（Ｈａｒｄ  Ｄｉｓｋ  Ｄｒｉｖｅ）やＳＳＤ（Ｓｏｌｉｄ  Ｓｔａｔｅ  Ｄｒｉｖｅ）あるいはフラッシュメモリなどの不揮発性記憶装置である。
【００５０】
主記憶装置１０４は、例えばＲＡＭ（Ｒａｎｄｏｍ  Ａｃｃｅｓｓ  Ｍｅｍｏｒｙ）などのメモリ装置である。
【００５１】
出力装置１０５は、例えば液晶ディスプレイや、有機ＥＬ（Ｅｌｅｃｔｒｏ  Ｌｕｍｉｎｅｓｃｅｎｃｅ）ディスプレイ等の表示装置である。
【００５２】
通信装置１０６は、ネットワーク１０等を介して保守情報保有装置２００や検索端末３００等の他の装置と通信経路を確立し、情報を送受信するネットワークカード等の装置である。
【００５３】
入力装置１０１は、キーボードやマウス、タッチパネル等の各種入力装置である。
【００５４】
入力装置１０１と、演算装置１０２と、外部記憶装置１０３と、主記憶装置１０４と、出力装置１０５と、通信装置１０６とは、バス１０７等の接続導線により互いに接続される。
【００５５】
上記した保守情報検索部１１１、検索結果提供部１１２、保守情報同期部１１３は、演算装置１０２に処理を行わせるプログラムによって実現される。このプログラムは、主記憶装置１０４、外部記憶装置１０３または図示しないＲＯＭ装置内に記憶され、実行にあたって主記憶装置１０４上にロードされ、演算装置１０２により実行される。
【００５６】
また、保守情報提供装置１００の記憶部１２０は、主記憶装置１０４及び外部記憶装置１０３により実現される。また、保守情報提供装置１００の通信部１３０は、通信装置１０６により実現される。以上が、保守情報提供装置１００のハードウェア構成例である。
【００５７】
なお、保守情報保有装置２００と、検索端末３００と、についても、基本的に同様のハードウェア構成を備えるものである。
【００５８】
なお、上記した各構成要素は、保守情報提供装置１００、保守情報保有装置２００および検索端末３００の構成を、理解を容易にするために、主な処理内容に応じて分類したものである。そのため、構成要素の分類の仕方やその名称によって、本願発明が制限されることはない。保守情報提供装置１００、保守情報保有装置２００および検索端末３００の構成は、処理内容に応じて、さらに多くの構成要素に分類することもできる。また、１つの構成要素がさらに多くの処理を実行するように分類することもできる。
【００５９】
また、各制御部は、ハードウェア（ＡＳＩＣ、ＧＰＵなど）により構築されてもよい。また、各制御部の処理が一つのハードウェアで実行されてもよいし、複数のハードウェアで実行されてもよい。
【００６０】
[動作の説明] 次に、本実施形態における保守情報提供装置１００の動作を説明する。図５は、本実施形態における保守情報提供装置１００が実施する概要検索処理のフロー図である。
【００６１】
概要検索処理は、保守情報提供装置１００が稼動している状態で、検索端末３００から検索要求を受けたタイミングで開始される。
【００６２】
まず、保守情報検索部１１１は、検索項目を受信する（ステップＳ００１）。具体的には、保守情報検索部１１１は、検索要求に含まれる機器型名およびキーワードを含む検索項目を取得する。
【００６３】
そして、保守情報検索部１１１は、受信した検索項目を用いて保守概要情報を検索する（ステップＳ００２）。具体的には、保守情報検索部１１１は、保守情報概要記憶部１２１を参照し、検索項目として受け付けた機器型名が機器型名１２１Ａと一致するレコードを特定し、さらに検索項目として受け付けたキーワードがキーワード１２１Ｆに含まれるレコードに絞り込む。
【００６４】
そして、検索結果提供部１１２は、保守文書の情報を取得できるリンクを含む検索結果を種類別に表示する（ステップＳ００３）。具体的には、検索結果提供部１１２は、ステップＳ００２における検索結果について、各保守情報に関してリンク先１２１Ｅの情報を特定し、種類１２１Ｂごとに分類して表示するよう出力画面を構成し、検索端末３００へ出力画面を送信する。
【００６５】
そして、検索結果提供部１１２は、保守文書表示指示を受け付ける（ステップＳ００４）。具体的には、検索結果提供部１１２は、ステップＳ００３で構成した出力画面上で保守文書の詳細の参照要求を発生させるリンクに対して入力がなされたことにより検索端末３００から送信された要求を受け付ける。
【００６６】
そして、検索結果提供部１１２は、保守情報の送信を要求する（ステップＳ００５）。具体的には、検索結果提供部１１２は、ステップＳ００４で受け付けた要求に含まれるリンクから特定される保守文書が格納された保守情報を取得するために、保守情報保有装置２００の保守文書記憶部２２２に格納された該当する文書の送信を保守情報保有装置２００に対して要求する。
【００６７】
そして、検索結果提供部１１２は、保守文書を受信して出力に埋め込む（ステップＳ００６）。具体的には、検索結果提供部１１２は、ステップＳ００５において要求を送信した保守文書に関して保守情報保有装置２００から受信し、出力画面の所定の領域に表示するよう出力画面を再構成して検索端末３００に画面を送信する。
【００６８】
そして、検索結果提供部１１２は、新たに保守文書表示指示を受け付けたか否かを判定する（ステップＳ００７）。具体的には、検索結果提供部１１２は、ステップＳ００３で構成した出力画面上で保守文書の詳細の参照要求を発生させるリンクに対して入力がなされたことにより検索端末３００から送信された要求を新たに受け付けたか否かを判定する。新たに受け付けた場合には、検索結果提供部１１２は、ステップＳ００５に処理を戻す。
【００６９】
新たに保守文書表示指示を受け付けていない場合（ステップＳ００７にて「Ｎｏ」の場合）には、保守情報検索部１１１は、検索項目を受け付けたか否かを判定する（ステップＳ００８）。具体的には、保守情報検索部１１１は、機器型名およびキーワードを含む検索項目を新たに受信したか否かを判定する。新たに受け付けた場合には、保守情報検索部１１１は、ステップＳ００２に処理を戻す。
【００７０】
新たに検索項目を受け付けていない場合（ステップＳ００８にて「Ｎｏ」の場合）には、保守情報検索部１１１は、概要検索処理を終了させる。
【００７１】
以上が、概要検索処理の処理フローである。概要検索処理を実行することで、保守情報概要記憶部１２１に格納された保守情報の概要を用いて、保守情報保有装置２００が保有する保守情報への参照を保守情報の種類ごとに一度に入手することができる。
【００７２】
図６は、本実施形態における保守情報提供装置１００が実施する保守概要情報同期処理のフロー図である。
【００７３】
保守概要情報同期処理は、保守情報提供装置１００が稼動を開始し、保守情報保有装置の保守情報更新通知部２１２から保守情報更新通知が送信されると、開始される。
【００７４】
まず、保守情報同期部１１３は、保守情報更新通知を受け付ける（ステップＳ１０１）。具体的には、保守情報同期部１１３は、受信した保守情報更新通知に含まれる番号、処理内容、更新日時の情報を取得する。
【００７５】
そして、保守情報同期部１１３は、受け付けた保守情報更新通知の処理内容は「新規登録」であるか否かを判定する（ステップＳ１０２）。具体的には、保守情報同期部１１３は、ステップＳ１０１にて取得した処理内容が「新規登録」に該当するか否かを判定する。処理内容が「新規登録」に該当しない場合には、保守情報同期部１１３は、後述するステップＳ１０６へ処理を進める。
【００７６】
処理内容が「新規登録」である場合（ステップＳ１０２にて「Ｙｅｓ」の場合）には、保守情報同期部１１３は、保守情報保有装置２００から、番号に該当する情報を取得する（ステップＳ１０３）。具体的には、保守情報同期部１１３は、ステップＳ１０１にて取得した番号に該当する保守文書を、保守情報保有装置２００に対して要求し、保守情報保有装置２００の保守情報提供部２１１が応答した保守情報を受け付ける。
【００７７】
そして、保守情報同期部１１３は、機器型名、題目、リンク先、番号、種類を保守情報概要記憶部１２１へ格納する（ステップＳ１０４）。具体的には、保守情報同期部１１３は、ステップＳ１０３にて受け付けた保守文書に含まれる機器型名、題目、リンク先、番号、種類を取得して、保守情報概要記憶部１２１へ新たにレコードとして格納する。
【００７８】
そして、保守情報同期部１１３は、更新対象の種類が「マニュアル」ならばキーワードに「＊」、それ以外は保守文書の「題目」に含まれる単語をキーワードに設定して格納する（ステップＳ１０５）。具体的には、保守情報同期部１１３は、ステップＳ１０３にて取得した保守文書の種類が「マニュアル」であるか否かを判定し、マニュアルである場合には、ステップＳ１０４で格納したレコードのキーワード１２１Ｆに「＊」（アスタリスク）を格納する。保守文書の種類が「マニュアル」でない場合には、ステップＳ１０４で格納したレコードのキーワード１２１Ｆに、題目１２１Ｄの情報を形態素解析して抽出した名詞を１以上格納する。
【００７９】
次に、保守情報同期部１１３は、受け付けた保守情報更新通知の処理内容は「更新」であるか否かを判定する（ステップＳ１０６）。具体的には、保守情報同期部１１３は、ステップＳ１０１にて取得した処理内容が「更新」に該当するか否かを判定する。処理内容が「更新」に該当しない場合には、保守情報同期部１１３は、後述するステップＳ１１０へ処理を進める。
【００８０】
処理内容が「更新」である場合（ステップＳ１０６にて「Ｙｅｓ」の場合）には、保守情報同期部１１３は、保守情報保有装置２００から、番号に該当する情報を取得する（ステップＳ１０７）。具体的には、保守情報同期部１１３は、ステップＳ１０１にて取得した番号に該当する保守文書を、保守情報保有装置２００に対して要求し、保守情報保有装置２００の保守情報提供部２１１が応答した保守情報を受け付ける。
【００８１】
そして、保守情報同期部１１３は、機器型名、題目、リンク先、キーワードを保守情報概要記憶部１２１へ格納する（ステップＳ１０８）。具体的には、保守情報同期部１１３は、ステップＳ１０７にて受け付けた保守文書に含まれる機器型名、題目、リンク先を取得して、保守情報概要記憶部１２１に格納される同番号のレコードを相違があれば更新する。なお、キーワードについては、保守情報同期部１１３は、ステップＳ１０７にて取得した保守文書の種類が「マニュアル」であるか否かを判定し、マニュアルである場合には、更新したレコードのキーワード１２１Ｆに「＊」（アスタリスク）を格納する。保守文書の種類が「マニュアル」でない場合には、更新したレコードのキーワード１２１Ｆに、題目１２１Ｄの情報を形態素解析して抽出した名詞を１以上格納する。
【００８２】
そして、保守情報同期部１１３は、ネットワーク１０を介して接続される図示しない所定の管理者端末に対して、承認依頼を送信して情報の編集および承認指示を受信する（ステップＳ１０９）。具体的には、保守情報同期部１１３は、ネットワーク１０を介して接続される図示しない所定の管理者端末に対して、承認依頼を送信する。そして、保守情報同期部１１３は、管理者端末上の所定の処理により更新する情報の編集がなされた場合には編集内容を受信し、保守情報概要記憶部１２１の該当する情報の更新を行う。または、保守情報同期部１１３は、管理者端末上の所定の処理により承認された場合には承認指示を受信する。
【００８３】
処理内容が「更新」でない場合（ステップＳ１０６にて「Ｎｏ」の場合）には、保守情報同期部１１３は、受け付けた保守情報更新通知の処理内容は「削除」であるか否かを判定する（ステップＳ１１０）。具体的には、保守情報同期部１１３は、ステップＳ１０１にて取得した処理内容が「削除」に該当するか否かを判定する。処理内容が「削除」に該当しない場合には、保守情報同期部１１３は、保守概要情報同期処理を終了させる。
【００８４】
処理内容が「削除」である場合（ステップＳ１１０にて「Ｙｅｓ」の場合）には、保守情報同期部１１３は、保守情報概要記憶部１２１の「番号」に該当する情報に削除フラグを立てる（ステップＳ１１１）。
【００８５】
以上が、保守概要情報同期処理の処理フローである。保守概要情報同期処理を実行することで、保守情報保有装置２００が有する保守情報にメンテナンス等の修正が加わった場合に、これに合わせて保守情報概要記憶部１２１に格納される情報についても同様に内容を更新することができる。そのため、容易に検索の精度を高く維持することができる。
【００８６】
図７は、概要検索処理の開始前において検索条件受付部３１１が出力する画面を検索端末３００の検索結果出力部３１３がディスプレイに表示させた場合の画面４００の例を示す図である。
【００８７】
画面４００は、検索条件入力受付領域４１０と、検索結果領域４２０と、詳細表示領域４３０と、を含む。
【００８８】
検索条件入力受付領域４１０には、検索する保守情報に関する機器の名称の入力を受け付ける機器型名入力受付領域４１１と、検索する保守情報に関するキーワードの入力を受け付けるキーワード入力受付領域４１２と、機器型名入力受付領域４１１およびキーワード入力受付領域４１２に入力された情報を含む検索項目を保守情報提供装置１００へ送信する指示を受け付ける検索開始入力受付領域４１３と、が含まれる。
【００８９】
また、詳細表示領域４３０には、タイトル表示領域４３１と、保守情報表示領域４３２と、が含まれる。
【００９０】
図８は、概要検索処理のステップＳ００３において構成された出力画面を受信した検索端末３００の検索結果出力部３１３がディスプレイに当該出力画面を表示させた場合の画面４００の例を示す図である。
【００９１】
当該画面４００は、図７において示した画面と基本的に同様であるが、検索結果領域４２０については、検索結果となる機器の型を少なくとも含む保守に関する情報が、種類ごとに区分して表示される。具体的には、検索結果領域４２０には、種類が「マニュアル」であるマニュアル保守文書表示領域４２１と、種類が「付加情報」である付加情報保守文書表示領域４２２と、種類が「ノウハウ」であるノウハウ保守文書表示領域４２３と、が含まれる。
【００９２】
図９は、概要検索処理のステップＳ００６において構成された出力画面を受信した検索端末３００の検索結果出力部３１３がディスプレイに当該出力画面を表示させた場合の画面４００の例を示す図である。
【００９３】
当該画面４００は、図８において示した画面と基本的に同様であるが、詳細表示領域４３０のタイトル表示領域４３１には、保守情報の題目が表示される。また、保守情報表示領域４３２には、マニュアルの内容やノウハウについての保守文書が表示される。
【００９４】
図１０は、保守概要情報同期処理のステップＳ１０９において保守情報同期部１１３が構成する管理者端末に出力させる画面５００の例を示す図である。
【００９５】
画面５００は、管理者に保守文書の更新に伴って保守情報概要記憶部１２１に格納されるべき情報の編集あるいは承認を受け付ける画面である。
【００９６】
画面５００には、メッセージ表示領域５１０が表示される。メッセージ表示領域５１０には、保守文書の更新が完了した旨およびキーワードの確認、修正、承認を依頼する旨を知らせるメッセージが表示される。例えば、メッセージには、「該当処理が完了いたしました。」との文言と、「新規登録」等の処理内容と、更新された保守文書の種類および番号を示す文言と、「キーワード確認・修正をお願いします。」との文言と、が含まれる。また、メッセージ表示領域５１０には、更新された保守文書のキーワードを編集する指示を受け付ける編集指示受付領域５１１と、更新された保守文書を承認する指示を受け付ける完了指示受付領域５１２と、が含まれる。
【００９７】
以上が、出力される画面の例である。
【００９８】
以上、本発明に係る第一の実施形態を適用した保守情報管理システム１について説明した。当該実施形態によると、利用者は、機器の提供者が提供する正規の情報および機器の運用者等が蓄積するノウハウを一元的に入手できるため、もれなく容易に取得することができる。
【００９９】
とくに、企業の業務システム等のシステム障害等の急を要する状況下において、システムを構成する各機器のマニュアル等の情報およびナレッジ共有がなされている場合において情報の検索を迅速かつもれなく行うことは、障害の解決に大きく寄与する。さまざまに補足的な情報を時間をかけて調べた挙句、製品のマニュアルに記載されていた基本的な解決策が適用可能であったり、あるいはマニュアルには記載されていないが運用上のノウハウとして蓄積されている情報が有用であったりするが、その両方をシームレスに検索可能であることは、大変有用なナレッジ活用となりうる。
【０１００】
本発明は、上記の第一の実施形態に制限されない。上記の第一の実施形態は、本発明の技術的思想の範囲内で様々な変形が可能である。例えば、上記の第一の実施形態においては、保守情報提供装置１００は独立して動作する例を示しているが、これに限られず、保守情報保有装置２００に含まれるように動作するようにしてもよい。このようにすることで、情報のアクセシビリティを高めることができる。また例えば、上記の第一の実施形態においては、保守情報提供装置１００は独立して動作する例を示しているが、これに限られず、検索端末３００に含まれるように動作するようにしてもよい。このようにすることで、情報の検索をより手軽に行うことができる。
【０１０１】
なお、本実施形態の保守情報は主にテキスト文書を想定しているが、これに限られず、例えば図や表、挿絵等が含まれるものであってもよい。
【０１０２】
また、上記した実施形態の技術的要素は、単独で適用されてもよいし、プログラム部品とハードウェア部品のような複数の部分に分けられて適用されるようにしてもよい。
【０１０３】
以上、本発明について、実施形態を中心に説明した。
【符号の説明】
【０１０４】
１・・・保守情報管理システム、１０・・・ネットワーク、１００・・・保守情報提供装置、１１０・・・制御部、１１１・・・保守情報検索部、１１２・・・検索結果提供部、１１３・・・保守情報同期部、１２０・・・記憶部、１２１・・・保守情報概要記憶部、１３０・・・通信部、２００・・・保守情報保有装置、２１０・・・制御部、２１１・・・保守情報提供部、２１２・・・保守情報更新通知部、２２０・・・記憶部、２２１・・・保守情報履歴記憶部、２２２・・・保守文書記憶部、３００・・・検索端末、３１０・・・制御部、３１１・・・検索条件受付部、３１２・・・検索依頼部、３１３・・・検索結果出力部
【図１】
2014228977.tif 000003
【図２】
2014228977.tif 000004
【図３】
2014228977.tif 000005
【図４】
2014228977.tif 000006
【図５】
2014228977.tif 000007
【図６】
2014228977.tif 000008
【図７】
2014228977.tif 000009
【図８】
2014228977.tif 000010
【図９】
2014228977.tif 000011
【図１０】
2014228977.tif 000012